(57)【要約】【課題】電気機器の筐体から容易に取り外すことができるフィルタ部材及びこれを備えた投写型映像表示装置を提供する。【解決手段】スライド式のフィルタ部材４０は、フィルタ５０と、このフィルタ５０を支持する支持枠６０とを備えるとともに、プロジェクタの筐体に対して着脱自在である。フィルタ部材４０は、支持枠６０から延びて設けられて、指を挿入することが可能な挿入孔６１ａが形成された指挿入部６１と、挿入孔６１ａを覆うように指挿入部６１に接続されて設けられて、挿入孔６１ａが開口するように指挿入部６１に対して撓る蓋部６２とを備えている。【選択図】図４
2010256835.tif 000002
【特許請求の範囲】
【請求項１】
フィルタと、このフィルタを支持する支持枠とを備えるとともに、電気機器の筐体に対して着脱自在なスライド式のフィルタ部材であって、
前記支持枠から延びて設けられて、指を挿入することが可能な挿入孔が形成された指挿入部と、
前記挿入孔を覆うように前記指挿入部に接続されて設けられて、前記挿入孔が開口するように前記指挿入部に対して撓る蓋部と
を備えることを特徴とするフィルタ部材。
【請求項２】
前記指挿入部及び前記蓋部と一体的に形成されて前記指挿入部と前記蓋部とを接続する接続部を備え、この接続部の厚みが前記指挿入部の厚み及び前記蓋部の厚みに比べて薄いことを特徴とする請求項１に記載のフィルタ部材。
【請求項３】
前記支持枠及び前記指挿入部及び前記蓋部は一体的に形成されていることを特徴とする請求項１または請求項２に記載のフィルタ部材。
【請求項４】
前記電気機器の筐体に対して装着されたときに前記電気機器の筐体の外部から見た場合には、前記指挿入部がなす面と前記蓋部がなす面とが同一面上にあることを特徴とする請求項１乃至請求項３のいずれか一項に記載のフィルタ部材。
【請求項５】
映像を投写して表示するための光学部品を収納する筐体と、請求項１乃至請求項４のいずれか一項に記載のフィルタ部材とを備えることを特徴とする投写型映像表示装置。
【請求項６】
前記フィルタ部材が前記筐体に対して装着されたときに前記筐体の外部から見た場合には、前記筐体の一部がなす面と前記指挿入部がなす面と前記蓋部がなす面とが同一面上にあることを特徴とする請求項５に記載の投写型映像表示装置。
【請求項７】
前記光学部品として前記筐体の前方から外方へ向けて光を出射する投写レンズを備え、
前記筐体の後方に前記フィルタ部材が設けられていることを特徴とする請求項５または請求項６に記載の投写型映像表示装置。
【請求項８】
前記筐体の一部には、前記フィルタ部材を挿入するためのフィルタ挿入孔が形成され、
前記フィルタ部材が前記筐体に対して装着されたときに、前記フィルタ挿入孔が、前記指挿入部及び前記蓋部により覆われることを特徴とする請求項５乃至請求項７のいずれか一項に記載の投写型映像表示装置。
【請求項９】
前記筐体の一部には、前記フィルタ挿入孔を覆うように設けられる壁部が形成され、
前記指挿入部には、前記壁部に係合可能な係止片が形成されていることを特徴とする請求項８に記載の投写型映像表示装置。
【発明の詳細な説明】
【技術分野】
【０００１】
本願発明は、スライド式のフィルタ部材、及びこのフィルタ部材を備えた投写型映像表示装置に関するものである。
【背景技術】
【０００２】
一般に、映像を投写して表示する投写型映像表示装置であるプロジェクタは、その内部に設けられた光学部品を冷却するために、プロジェクタの内部へ空気を取り入れる吸気孔を備えている。また、このようなプロジェクタが、吸気孔を介してプロジェクタの外部から内部へ塵や埃が入り込むことを抑制するためのフィルタ部材を備えることが一般的に知られている（例えば、特許文献１参照）。
【０００３】
また、電気機器が備えるフィルタ部材として、スライド式のフィルタ部材が知られている（例えば、特許文献２，３参照）。このようなフィルタ部材は、電気機器の筐体に対して着脱自在となるように構成されている。
【先行技術文献】
【特許文献】
【０００４】
【特許文献１】特開２００８−１７０８０８号公報
【特許文献２】特開２００５−１２７５５１号公報
【特許文献３】特開２００７−１４３６６９号公報
【発明の概要】
【発明が解決しようとする課題】
【０００５】
ところで、投写型映像表示装置において、フィルタ部材の交換作業を容易に行えるようにするためには、投写型映像表示装置の下面以外の箇所（例えば、側面や背面）に、吸気孔及びフィルタ部材が設けられていることが好ましい。
【０００６】
ここで、スライド式のフィルタ部材を備える投写型映像表示装置としては、例えば図１０に示すようなプロジェクタ１１０が考えられる。図１０に示すプロジェクタ１１０について詳しく説明すると、プロジェクタ１１０は、映像を電気的に処理する電気機器であって、光学部品等を収納する筐体１２０と、筐体１２０に対して装着されるスライド式のフィルタ部材１４０とを備えている。
【０００７】
筐体１２０の下側キャビネット１２１には、吸気孔１３１が形成されており、吸気孔１３１を有する下側キャビネット１２１に対してフィルタ部材１４０が装着されることにより、筐体１２０に対してフィルタ部材１４０が装着される構成となっている。また、下側キャビネット１２１からフィルタ部材１４０が取り外されることにより、筐体１２０からフィルタ部材１４０が取り外される構成となっている。
【０００８】
具体的には、図１１に示すように、吸気孔１３１の近傍において、下側キャビネット１２１には、下側キャビネット１２１の内部へ、フィルタ部材１４０を挿入するためのフィルタ挿入孔１３３が形成されている。このフィルタ挿入孔１３３は、下側キャビネット１２１を筐体１２０の内部へ窪ませることにより形成されている。
【０００９】
従って、フィルタ部材１４０をフィルタ挿入孔１３３から筐体１２０の内部へ挿入し、図中の矢印Ｄ１の方向へフィルタ部材１４０をスライドさせて移動させることにより、フィルタ部材１４０を下側キャビネット１２１に対して装着することができる。
【００１０】
図１２に示すように、フィルタ部材１４０は、フィルタ１５０と、フィルタ１５０を支持する支持枠１６０とを備えており、フィルタ部材１４０の支持枠１６０には、指先で持つことが可能な爪部１７０が設けられている。この爪部１７０を指先で持って、フィルタ部材１４０をスライドさせて移動させることができる。なお、爪部１７０は、プロジェクタ１１０の美観性を考慮して、小さく形成されている。
【００１１】
以上のように構成されたフィルタ部材１４０を下側キャビネット１２１に対して装着した状態を、図１３及び図１４に示す。なお、図１４は、図１３のＢ−Ｂ部分の断面図である。
【００１２】
しかしながら、上記のようなフィルタ部材１４０を筐体１２０から取り外す場合には、プロジェクタ１１０の筐体１２０からフィルタ部材１４０を容易に取り外すことができないという問題がある。
【００１３】
具体的には、下側キャビネット１２１の設計の都合上、フィルタ挿入孔１３３が小さく形成された場合には、図中の矢印Ｄ２の方向へフィルタ部材１４０をスライドさせて移動させると、フィルタ挿入孔１３３において窪んだ下側キャビネット１２１の一部（図１４中の破線Ｓ１で示す箇所）にフィルタ部材１４０が干渉し易い。このため、フィルタ部材１４０を容易に取り外すことができない。プロジェクタ１１０の美観性を考慮して爪部１７０は小さく形成されるため、爪部１７０を指先で持ち、下側キャビネット１２１の一部に干渉しないようにフィルタ部材１４０を引っ張ることも難しく、いずれにせよフィルタ部材１４０を容易に取り外すことはできない。
【００１４】
本発明は、こうした実情に鑑みてなされたものであり、電気機器の筐体から容易に取り外すことができるフィルタ部材及びこれを備えた投写型映像表示装置を提供することにある。
【課題を解決するための手段】
【００１５】
請求項１に記載の発明は、フィルタと、このフィルタを支持する支持枠とを備えるとともに、電気機器の筐体に対して着脱自在なスライド式のフィルタ部材であって、支持枠から延びて設けられて、指を挿入することが可能な挿入孔が形成された指挿入部と、挿入孔を覆うように指挿入部に接続されて設けられて、挿入孔が開口するように指挿入部に対して撓る蓋部とを備えることを特徴とする。
【００１６】
同構成によれば、支持枠から延びて設けられて、指を挿入することが可能な挿入孔が形成された指挿入部と、挿入孔を覆うように指挿入部に接続されて設けられて、挿入孔が開口するように指挿入部に対して撓る蓋部とを備えている。このため、開口する挿入孔に指を挿入することによって、フィルタ部材と指とを係合させることができ、フィルタ部材に爪部を設けて爪部を指先で持つ場合に比べて、フィルタ部材を容易にスライドさせることが可能になる。従って、フィルタ部材を電気機器の筐体から容易に取り外すことができる。また、蓋部は挿入孔を覆うように設けられるため、指を挿入することが可能な挿入孔が形成されていながらも、挿入孔から塵等の異物が電気機器の内部へ入り込むことを抑制することができる。
【００１７】
請求項２に記載の発明は、請求項１に記載のフィルタ部材であって、指挿入部及び蓋部と一体的に形成されて指挿入部と蓋部とを接続する接続部を備え、この接続部の厚みが指挿入部の厚み及び蓋部の厚みに比べて薄いことを特徴とする。
【００１８】
同構成によれば、指挿入部と蓋部とが接続される接続部の厚みが、指挿入部の厚み及び蓋部の厚みに比べて薄い。このため、指挿入部に対して蓋部を容易に撓らせることができ、挿入孔に指を容易に挿入することができる。
【００１９】
請求項３に記載の発明は、請求項１または請求項２に記載のフィルタ部材であって、支持枠及び指挿入部及び蓋部は一体的に形成されていることを特徴とする。
同構成によれば、支持枠、支持枠から延設されて形成された指挿入部、及び指挿入部に接続されて形成された蓋部は一体的に形成されているため、支持枠と別の部材により指挿入部や蓋部を形成することを不要とすることができる。
【００２０】
請求項４に記載の発明は、請求項１乃至請求項３のいずれか一項に記載のフィルタ部材であって、電気機器の筐体に対して装着されたときに電気機器の筐体の外部から見た場合には、指挿入部がなす面と蓋部がなす面とが同一面上にあることを特徴とする。
【００２１】
同構成によれば、フィルタ部材は、電気機器の筐体に対して装着されたときに電気機器の筐体の外部から見た場合に、指挿入部がなす面と蓋部がなす面とが同一面上にある。このため、挿入孔が形成された指挿入部を目立たないようにすることができ、フィルタ部材を備えた電気機器の美観性を向上させることが可能になる。
【００２２】
請求項５に記載の発明は、投写型映像表示装置であって、映像を投写して表示するための光学部品を収納する筐体と、請求項１乃至請求項４のいずれか一項に記載のフィルタ部材とを備えることを特徴とする。
【００２３】
同構成によれば、請求項１乃至請求項４のいずれか一項に記載のフィルタ部材を備えるため、フィルタ部材を筐体から容易に取り外すこと等ができる。また、特に、投写型映像表示装置は、筐体に映像を投写して表示するための光学部品を収納しており、投写型映像表示装置の内部へ塵や埃が入り込むことを十分に抑制することが求められる。このため、指を挿入することが可能な挿入孔が形成されていながらも、挿入孔から塵等の異物が電気機器の内部へ入り込むことを抑制することができるフィルタ部材を、投写型映像表示装置の吸気孔に設けられるフィルタ部材として好適に使用することができる。
【００２４】
請求項６に記載の発明は、請求項５に記載の投写型映像表示装置であって、フィルタ部材が筐体に対して装着されたときに筐体の外部から見た場合には、筐体の一部がなす面と指挿入部がなす面と蓋部がなす面とが同一面上にあることを特徴とする。
【００２５】
同構成によれば、投写型映像表示装置は、フィルタ部材が筐体に対して装着されたときに筐体の外部から見た場合に、筐体の一部がなす面と指挿入部がなす面と蓋部がなす面とが同一面上にある。従って、フィルタ部材が投写型映像表示装置の外部へ突出しないようにすることができ、投写型映像表示装置の美観性を向上させることできる。
【００２６】
請求項７に記載の発明は、請求項５または請求項６に記載の投写型映像表示装置であって、光学部品として筐体の前方から外方へ向けて光を出射する投写レンズを備え、筐体の後方にフィルタ部材が設けられていることを特徴とする。
【００２７】
同構成によれば、筐体の後方にフィルタ部材が設けられているため、筐体の前方や側方にフィルタ部材が設けられている場合に比べて、フィルタ部材が目立たないようにすることができる。従って、投写型映像表示装置の美観性をより向上させることができる。
【００２８】
請求項８に記載の発明は、請求項５乃至請求項７のいずれか一項に記載の投写型映像表示装置であって、筐体の一部には、フィルタ部材を挿入するためのフィルタ挿入孔が形成され、フィルタ部材が筐体に対して装着されたときに、フィルタ挿入孔が、指挿入部及び蓋部により覆われることを特徴とする。
【００２９】
同構成によれば、フィルタ部材が筐体に対して装着されたときに、フィルタ部材を挿入するためのフィルタ挿入孔が、指挿入部及び蓋部により覆われるため、フィルタ挿入孔が目立たないようにすることができる。従って、投写型映像表示装置の美観性をより一層向上させることができる。
【００３０】
請求項９に記載の発明は、請求項８に記載の投写型映像表示装置であって、筐体の一部には、フィルタ挿入孔を覆うように設けられる壁部が形成され、指挿入部には、壁部に係合可能な係止片が形成されていることを特徴とする。
【００３１】
同構成によれば、指挿入部には、筐体の一部に形成された壁部に係合可能な係止片が形成されているため、指挿入部の係止片と、筐体の一部に形成された壁部とが係合することにより、筐体に対してフィルタ部材が係止される。従って、筐体に対して装着されたフィルタ部材が、意図せずに筐体から抜け落ちることを抑制することができる。
【発明の効果】
【００３２】
本発明によれば、フィルタ部材を電気機器の筐体から容易に取り外すことができ、また、塵等の異物が電気機器の内部へ入り込むことを抑制することができる。
【図面の簡単な説明】
【００３３】
【図１】本発明の実施形態に係るプロジェクタの外観を示す斜視図。
【図２】同実施形態に係るプロジェクタの筐体及びフィルタ部材を示す斜視図。
【図３】同実施形態に係るプロジェクタの筐体及びフィルタ部材を示す斜視図。
【図４】同実施形態に係るフィルタ部材の斜視図。
【図５】同実施形態に係るフィルタ部材の斜視図。
【図６】同実施形態に係るプロジェクタの背面図であって、筐体に対してフィルタ部材が取り付けられた状態を示す背面図。
【図７】図６のＡ−Ａ部分の断面を示す断面図。
【図８】図６のＡ−Ａ部分の筐体の断面を示す断面斜視図。
【図９】（ａ）（ｂ）同実施形態に係るフィルタ部材を筐体から取り外すときの手順を説明するための斜視図。
【図１０】従来例に係るフィルタ部材を備えた電気機器の外観を示す斜視図。
【図１１】従来例に係るフィルタ部材、及び同フィルタ部材が設けられる電気機器の筐体を示す斜視図。
【図１２】従来例に係るフィルタ部材の斜視図。
【図１３】従来例に係るフィルタ部材が筐体に対して装着された電気機器を示す図。
【図１４】図１３のＢ−Ｂ部分の断面を示す断面図。
【発明を実施するための形態】
【００３４】
以下、投写型映像表示装置の吸気孔にフィルタ部材を設けた場合を一例として、本発明の実施形態について図面を参照しながら説明する。
図１は、光学部品や電子部品等を除いて投写型映像表示装置であるプロジェクタ１０を組み立てた場合の、プロジェクタ１０の外観を示す斜視図である。従って、図面において光学部品及び電子部品の図示は省略されている。
【００３５】
また、図面において、矢印Ｆ、矢印Ｒ、矢印Ｓは、それぞれ、筐体２０の前方、筐体２０の後方、筐体２０の側方を示している。また、矢印Ｖは上下方向を示しており、矢印Ｈは水平方向を示している。
【００３６】
図１に示すように、本実施形態に係るプロジェクタ１０は、映像を電気的に処理する電気機器（即ち、電子機器）であって、筐体２０の前方Ｆから筐体２０の外部へ向けて光を投射するフロントプロジェクタである。
【００３７】
プロジェクタ１０は、映像を投写して表示するための光学部品等を収納する筐体２０と、筐体２０に対して装着されるフィルタ部材４０とを備えており、フィルタ部材４０は、スライドさせてプロジェクタ１０の筐体２０に対して着脱自在である。
【００３８】
筐体２０は、下側キャビネット２１、下側キャビネット２１に対してねじ止めされる上側キャビネット２２、筐体２０に収納された光学部品であるランプを交換する際に開閉されるランプカバー２３等により構成されている。
【００３９】
下側キャビネット２１は、筐体２０に対して光学部品等を固定するためのねじ穴が設けられた筐体２０の一部であり、プロジェクタ１０の外箱を構成している。この下側キャビネット２１と、同じくプロジェクタ１０の外箱を構成する上側キャビネット２２とにより、光学部品や電子部品が覆われる。
【００４０】
また、下側キャビネット２１や上側キャビネット２２等は、合成樹脂により形成されており、プロジェクタ１０の内部の光学部品を冷却するために、下側キャビネット２１及び上側キャビネット２２には、通風孔が形成されている。
【００４１】
本実施形態においては、下側キャビネット２１の後方Ｒに、通風孔である吸気孔３１が形成されており、この吸気孔３１を介して、プロジェクタ１０の外部から内部へ空気が吸入されるように構成されている。従って、吸気孔３１は、プロジェクタ１０の背面である下側キャビネットの後方Ｒにおいて開口するように設けられている。
【００４２】
水平方向Ｈに延びて設けられた吸気孔３１には、プロジェクタ１０の内部へ大きな異物が入り込むことを防止するために格子３２が設けられており、吸気孔３１により形成される開口は複数に区切られている。なお、格子３２は樹脂製の下側キャビネット２１と一体的に形成されている。
【００４３】
また、下側キャビネット２１には、吸気孔３１の近傍において、プロジェクタ１０の筐体２０に対してフィルタ部材４０を装着でき、さらに、筐体２０に対して装着されたフィルタ部材４０を筐体２０から取り外すことができるような構造が形成されている。
【００４４】
従って、フィルタ部材４０は筐体２０に対して着脱自在であり、本実施形態においては、吸気孔３１を有する筐体２０の一部である下側キャビネット２１に対してフィルタ部材４０が装着されることにより、筐体２０に対してフィルタ部材４０が装着される構成となっている。また、下側キャビネット２１からフィルタ部材４０が取り外されることにより、筐体２０からフィルタ部材４０が取り外される構成となっている。
【００４５】
具体的には、図２に示すように、吸気孔３１の近傍において、下側キャビネット２１には、筐体２０の内部である下側キャビネット２１の内部へ、フィルタ部材４０を挿入するための四角形状のフィルタ挿入孔３３が形成されている。フィルタ挿入孔３３は、下側キャビネット２１を筐体２０の内部へ窪ませることにより形成されている。
【００４６】
また、図３に示すように、吸気孔３１の近傍であって筐体２０の内部において、下側キャビネット２１には、摺動するフィルタ部材４０の移動を案内するためのガイド溝３４が形成されおり、このガイド溝３４に沿って、水平方向Ｈにおいてフィルタ部材４０はスライドすることができる。
【００４７】
従って、フィルタ部材４０をフィルタ挿入孔３３から筐体２０の内部へ挿入し、ガイド溝３４に沿ってフィルタ部材４０をスライドさせて移動させることにより、フィルタ部材４０を下側キャビネット２１に対して装着することができる。
【００４８】
なお、図２及び図３等において、図中の矢印Ｄ１は、筐体２０の下側キャビネット２１にフィルタ部材４０を装着するときにフィルタ部材４０をスライドさせる方向を示しており、図中の矢印Ｄ２は、筐体２０の下側キャビネット２１からフィルタ部材４０を取り外すときにフィルタ部材４０をスライドさせる方向を示している。
【００４９】
また、吸気孔３１の近傍であって筐体２０の内部において、下側キャビネット２１には、矢印Ｄ１の方向へのフィルタ部材４０の移動を規制するために移動規制壁部３５が形成されている。この移動規制壁部３５は樹脂製の下側キャビネット２１と一体的に形成されている。
【００５０】
図４及び図５に示すように、フィルタ部材４０は、吸気孔３１を介してプロジェクタ１０の外部から内部へ塵等が入り込むことを抑制するためのフィルタ５０と、フィルタ５０が取り付けられることによりフィルタ５０を支持する樹脂製の支持枠６０とを備えている。
【００５１】
長方形のフィルタ５０は、例えば、支持枠６０の樹脂成形時に一体で成型したり、支持枠６０の樹脂成型後に熱溶着したりして支持枠６０に取り付けて設けられており、フィルタ５０が支持枠６０に設けられることによって、支持枠６０により形成される開口がフィルタ５０により覆われている。
【００５２】
長方形状に形成された支持枠６０は、開口を有するように合成樹脂により形成されており、筐体２０に対してフィルタ部材４０を装着するとき、及び筐体２０からフィルタ部材４０を取り外すときに、フィルタ５０とともに撓らせることができるように形成されている。
【００５３】
このようなフィルタ部材４０の支持枠６０を、フィルタ挿入孔３３から筐体２０の内部へ挿入することにより、吸気孔３１に対応した位置に支持枠６０が設けられて、吸気孔３１がフィルタ５０により覆われる。
【００５４】
以上のように、フィルタ部材４０は、フィルタ５０と、フィルタ５０を支持する支持枠６０とを備えるとともに、プロジェクタ１０の筐体２０に対して着脱自在なスライド式のフィルタ部材である。
【００５５】
図６乃至図８は、下側キャビネット２１に対してフィルタ部材４０を装着した状態を示す図である。図７は、図６のＡ−Ａ部分の断面図であり、図８は、図６のＡ−Ａ部分の断面斜視図である。なお、図８においては、下側キャビネット２１のみを断面により示している。
【００５６】
ここで、本実施形態においては、フィルタ部材４０が、支持枠６０から延びて設けられた指挿入部６１と、指挿入部６１に接続されて形成される蓋部６２とを備えている。以下、本発明に係るフィルタ部材４０の構成について詳しく説明する。
【００５７】
指挿入部６１は、支持枠６０の一部であって支持枠６０と一体的に形成されており、支持枠６０から水平方向Ｈの矢印Ｄ２で示す方向に延設されて形成されている。支持枠６０と一体的に形成された指挿入部６１には、指Ｙ（図９参照）を挿入することが可能な挿入孔６１ａが形成されており、挿入孔６１ａにより形成される開口が四角形状になるように構成されている。
【００５８】
蓋部６２は、挿入孔６１ａにより形成される開口に比べて小さな外形を有しており、接続部６３を介して指挿入部６１に接続されて設けられている。本実施形態においては、支持枠６０、指挿入部６１、蓋部６２、及び接続部６３は一体的に形成されており、接続部６３及び蓋部６２は、挿入孔６１ａの内周面から延設されている。
【００５９】
また、蓋部６２や接続部６３が薄く形成されたり、指挿入部６１と蓋部６２との接続部分が小さく形成されたりすることにより、挿入孔６１ａを覆う蓋部６２が、指挿入部６１に対して撓るように構成されている。
【００６０】
具体的には、図７中の矢印Ｔで示すように、蓋部６２は、下側キャビネット２１の内部、即ち筐体２０の内部に向けて撓ることが可能であり、蓋部６２は、挿入孔６１ａが開口するように指挿入部６１に対して撓る。
【００６１】
本実施形態においては、図７に示すように、接続部６３の厚みＸ３が、指挿入部６１の厚みＸ１及び蓋部６２の厚みＸ２に比べて小さく形成されている。また、図８等に示すように、指挿入部６１と蓋部６２との間には、四角形において連続する３つの辺をなすようなスリット６２ａが形成されている。
【００６２】
このように構成されたフィルタ部材４０は、蓋部６２を撓らせることにより、指Ｙを挿入するための挿入孔６１ａが開口するため、指挿入部６１に指Ｙを挿入して、フィルタ部材４０を引き抜くことにより、筐体２０からフィルタ部材４０を取り外すことができる。
【００６３】
具体的には、筐体２０からフィルタ部材４０を取り外す場合には、図９（ａ）に示すように、蓋部６２を筐体２０の内部へ指Ｙで押圧することにより、蓋部６２を指挿入部６１に対して撓らせるとともに、挿入孔６１ａに指Ｙを挿入する。次いで、挿入孔６１ａに挿入した指Ｙを、指挿入部６１の裏面６１ｂ（図５及び図７参照）に引っ掛ける。次いで、図９（ａ）中の矢印Ｔ１の方向である筐体２０の外方へ向けて指挿入部６１を引っ張って、フィルタ部材４０を撓らせる。そして、フィルタ部材４０を撓らせた状態で、図９（ａ）中の矢印Ｔ２の方向へ向けてフィルタ部材４０を引っ張って、図９（ｂ）に示すように、フィルタ部材４０を下側キャビネット２１から引っ張り出す。このようにしてフィルタ部材４０を、下側キャビネット２１から取り外して、筐体２０から取り外すことができる。
【００６４】
また、本実施形態においては、プロジェクタ１０の筐体２０に対してフィルタ部材４０が装着されたときに、プロジェクタ１０の筐体２０の外部からフィルタ部材４０を見た場合には、指挿入部６１がなす面と、蓋部６２がなす面とが同一面上にある。
【００６５】
また、フィルタ部材４０が筐体２０に対して装着されたときに、筐体２０の外部からプロジェクタ１０を見た場合には、下側キャビネット２１がなす面と、指挿入部６１がなす面と、蓋部６２がなす面とが同一面上にある。
【００６６】
このような構成により、図１０に示すプロジェクタ１１０に比べて、美観性を向上させている。即ち、図１０に示すプロジェクタ１１０は、フィルタ部材１４０に爪部１７０が設けられているため、筐体１２０の外部からプロジェクタ１１０を見た場合には、爪部１７０等により形成される凹凸によって、プロジェクタ１１０の見映えが悪いという問題があるが、本実施形態の上記構成によればプロジェクタ１０の美観性を向上させることができる。
【００６７】
また、プロジェクタ１０は、光学部品として筐体２０の前方Ｆから外方へ向けて光を出射する投写レンズを備えるが、本実施形態においては、筐体２０の後方Ｒにフィルタ部材４０が設けられるため、プロジェクタ１０の美観性をより向上させる構成となっている。
【００６８】
また、本実施形態においては、フィルタ部材４０が筐体２０に対して装着されたときに、フィルタ部材４０が挿入されるフィルタ挿入孔３３が、指挿入部６１及び蓋部６２により覆われている。
【００６９】
このような構成により、図１０に示すプロジェクタ１１０に比べて、美観性を向上させて、かつプロジェクタ１０の内部へ塵等が入り込むことを抑制させている。即ち、図１０に示すプロジェクタ１１０は、フィルタ部材１４０をスライドさせて移動させるためにフィルタ挿入孔１３３の大きさを確保する必要があり、筐体１２０の外部からプロジェクタ１１０を見た場合には、フィルタ挿入孔１３３により形成される凹凸によって、プロジェクタ１１０の見映えが悪いという問題がある。また、図１０に示すプロジェクタ１１０は、筐体１２０に対してフィルタ部材１４０を装着した状態においては、フィルタ挿入孔１３３がフィルタ部材１４０により覆われないため、図１４中の矢印Ｓ２で示す箇所からプロジェクタ１１０の内部へ塵が入り込む場合があるという問題がある。これに対し、本実施形態の上記構成によれば、美観性を向上させて、かつプロジェクタ１０の内部へ塵等が入り込むことを抑制させることができる。
【００７０】
また、本実施形態においては、フィルタ挿入孔３３からプロジェクタ１０の内部へ塵等の異物が入り込むことを抑制するために、下側キャビネット２１には壁部３６が形成されている。壁部３６は、下側キャビネット２１の一部であって、フィルタ挿入孔３３において筐体２０の内部へ窪んだ箇所である。このような壁部３６が設けられていることにより、壁部３６が設けられていない場合に比し、プロジェクタ１０の内部へ塵等が入り込むことを抑制することができる。
【００７１】
そして、指挿入部６１の先端には、壁部３６に係合可能な係止片６４が形成されている。本実施形態においては、係止片６４は鉤状に形成されており、係止片６４と壁部３６とが係合することにより、下側キャビネット２１に対してフィルタ部材４０が係止する構成となっている。
【００７２】
本実施形態によれば、以下の作用効果を奏することができる。
（１）フィルタ部材４０は、支持枠６０から延びて設けられて、指Ｙを挿入することが可能な挿入孔６１ａが形成された指挿入部６１と、挿入孔６１ａを覆うように指挿入部６１に接続されて設けられて、挿入孔６１ａが開口するように指挿入部６１に対して撓る蓋部６２とを備えている。このため、開口する挿入孔６１ａに指を挿入することによって、フィルタ部材４０と指とを係合させることができ、フィルタ部材４０に爪部を設けて爪部を指先で持つ場合に比べて、フィルタ部材４０を容易にスライドさせることが可能になる。従って、フィルタ部材４０をプロジェクタ１０の筐体２０から容易に取り外すことができる。また、蓋部６２は挿入孔６１ａを覆うように設けられるため、指Ｙを挿入することが可能な挿入孔６１ａが形成されていながらも、挿入孔６１ａから塵等の異物がプロジェクタ１０の内部へ入り込むことを抑制することができる。
【００７３】
（２）フィルタ部材４０は、指挿入部６１及び蓋部６２と一体的に形成されて指挿入部６１と蓋部６２とを接続する接続部６３を備え、接続部６３の厚みが指挿入部６１の厚み及び蓋部６２の厚みに比べて薄い。このため、指挿入部６１に対して蓋部６２を容易に撓らせることができ、挿入孔６１ａに指を容易に挿入することができる。
【００７４】
（３）支持枠６０及び指挿入部６１及び蓋部６２は一体的に形成されているため、支持枠６０と別の部材により指挿入部６１や蓋部６２を形成することを不要とすることができる。
【００７５】
（４）プロジェクタ１０の筐体２０に対して装着されたときにプロジェクタ１０の筐体２０の外部からフィルタ部材４０を見た場合には、指挿入部６１がなす面と蓋部６２がなす面とが同一面上にある。このため、挿入孔６１ａが形成された指挿入部６１を目立たないようにすることができ、フィルタ部材４０を備えたプロジェクタ１０の美観性を向上させることが可能になる。
【００７６】
（５）プロジェクタ１０は、映像を投写して表示するための光学部品を収納する筐体２０と、フィルタ部材４０とを備えているため、上記（１）〜（４）に記載したようにフィルタ部材４０をプロジェクタ１０の筐体２０から容易に取り外すこと等ができる。また、特に、プロジェクタ１０は、筐体２０に映像を投写して表示するための光学部品を収納しており、プロジェクタ１０の内部へ塵や埃が入り込むことを十分に抑制することが求められる。このため、指Ｙを挿入することが可能な挿入孔６１ａが形成されていながらも、挿入孔６１ａから塵等の異物が電気機器の内部へ入り込むことを抑制することができるフィルタ部材４０を、プロジェクタ１０の吸気孔３１に設けられるフィルタ部材として好適に使用することができる。
【００７７】
（６）フィルタ部材４０が筐体２０に対して装着されたときに筐体２０の外部からプロジェクタ１０を見た場合には、下側キャビネット２１がなす面と指挿入部６１がなす面と蓋部６２がなす面とが同一面上にある。従って、フィルタ部材４０がプロジェクタ１０の外部へ突出しないようにすることができ、プロジェクタ１０の美観性を向上させることできる。
【００７８】
（７）プロジェクタ１０は、光学部品として筐体２０の前方Ｆから外方へ向けて光を出射する投写レンズを備え、筐体２０の後方Ｒにフィルタ部材４０が設けられている。このため、筐体２０の前方Ｆや側方Ｓにフィルタ部材４０が設けられている場合に比べて、フィルタ部材４０が目立たないようにすることができる。従って、プロジェクタ１０の美観性をより向上させることができる。
【００７９】
（８）フィルタ部材４０が筐体２０に対して装着されたときに、フィルタ挿入孔３３が、指挿入部６１及び蓋部６２により覆われている。このため、フィルタ挿入孔３３が目立たないようにすることができる。従って、プロジェクタ１０の美観性をより一層向上させることができる。
【００８０】
（９）下側キャビネット２１には、フィルタ挿入孔３３を覆うように設けられる壁部３６が形成され、指挿入部６１には、壁部３６に係合可能な係止片６４が形成されているため、指挿入部６１の係止片６４と、下側キャビネット２１に形成された壁部３６とが係合することにより、筐体２０に対してフィルタ部材４０が係止される。従って、筐体２０に対して装着されたフィルタ部材４０が、意図せずに筐体２０から抜け落ちることを抑制することができる。
【００８１】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよい。
【００８２】
・指挿入部６１、蓋部６２の形状等を適宜変更してもよい。また挿入孔６１ａが開口するように蓋部６２が撓るのであれば、蓋部６２及び接続部６３の厚みや、接続部６３の面積等を適宜変更してもよい。
【符号の説明】
【００８３】
１０…プロジェクタ、２０…筐体、２１…下側キャビネット、２２…上側キャビネット、２３…ランプカバー、３１…吸気孔、３２…格子、３３…フィルタ挿入孔、３４…ガイド溝、３５…移動規制壁部、３６…壁部、４０…フィルタ部材、５０…フィルタ、６０…支持枠、６１…指挿入部、６１ａ…挿入孔、６１ｂ…裏面、６２…蓋部、６２ａ…スリット、６３…接続部、６４…係止片。
【図１】
2010256835.tif 000003
【図２】
2010256835.tif 000004
【図３】
2010256835.tif 000005
【図４】
2010256835.tif 000006
【図５】
2010256835.tif 000007
【図６】
2010256835.tif 000008
【図７】
2010256835.tif 000009
【図８】
2010256835.tif 000010
【図９】
2010256835.tif 000011
【図１０】
2010256835.tif 000012
【図１１】
2010256835.tif 000013
【図１２】
2010256835.tif 000014
【図１３】
2010256835.tif 000015
【図１４】
2010256835.tif 000016